(57)【特許請求の範囲】
【請求項１】
開口部に設けられる左右縦枠および横枠と、これら左右縦枠および横枠に囲まれた空間に固定される欄間パネルとからなる欄間構造であって、欄間パネルの両側面木口にはそれぞれ高さ方向に連続する溝が形成されると共にその下端には一面から突出する突出部が設けられ、左右縦枠の各内面には一対の戸当たり溝が略全長に亘って延長形成されると共に、該一対の戸当たり溝の片側に欄間パネルの両側面木口の溝に嵌入する凸部が形成され、該内面の欄間パネルの下端に対応する高さ位置において戸当たり溝間に欄間固定片が内方に突出して取り付けられ、さらに該内面の欄間固定片から所定間隔をおいた下方位置において戸当たり溝間に支持部材が内方に突出して取り付けられ、横枠の下面には欄間パネルの上端が嵌入される凹部が形成されており、欄間固定片と支持部材との間に欄間パネルの突出部が挟み込まれた状態で欄間固定片を介して欄間パネルが固定されてなることを特徴とする欄間構造。
【請求項２】
一面に一対の戸当たり溝が略全長に亘って延長形成されると共に、該一対の戸当たり溝の片側に凸部が形成され、且つ、その下方位置において該一対の戸当たり溝の間に欄間固定片が突出して取り付けられた縦枠部材と、一面に凹部を有する横枠部材と、両側面木口に少なくとも上端に開口する溝が形成されると共に下端には一面側に突出する突出部を有する欄間パネル部材とを準備し、開口部に一対の縦枠部材を前記一面側が内面側になるようにして固定して左右縦枠とすると共にこれら左右縦枠の上端間において横枠部材を凹部形成面が下面となるようにして開口部天面に固定して横枠として枠組を形成し、左右縦枠の間に欄間パネル部材を入れて、その両側面木口の溝に左右縦枠から内方に突出している凸部を嵌入させた状態にして上方にスライド移動させて、欄間パネル部材の上端が横枠下面の凹部に嵌入されると共にその突出部が左右縦枠から内方に突出している欄間固定片に当接した位置関係を形成し、この位置関係において支持部材を左右縦枠の内面の前記一対の戸当たり溝間に取り付けて欄間パネル部材を下方から支持して仮固定した後、欄間固定片を介して欄間パネル部材を左右縦枠に固定して欄間パネルとすることを特徴とする欄間構造の施工方法。
【発明の詳細な説明】
【技術分野】
【０００１】
本発明は、欄間構造およびその施工方法に関する。
【背景技術】
【０００２】
家屋の開口部に設置される左右縦枠間の上部に欄間パネルを取り付けた欄間構造は公知であり、このような欄間パネルの取付構造として、特許文献１には、欄間パネルの上部および左右の見込面に形成された凹溝に、左右縦枠および上枠に設けた凸形ブラケットを嵌合させた状態にして、欄間パネルの下面の取付孔に下方からボルトを通して、左右縦枠の凸形ブラケットの下端の内向き折曲部に形成した雌ネジ穴およびナットに螺着して固定することが記載されている。
【先行技術文献】
【特許文献】
【０００３】
【特許文献１】実願昭６１−６２７５９（実開昭６３−２８７８３）のマイクロフィルム
【発明の概要】
【発明が解決しようとする課題】
【０００４】
特許文献１によると、欄間パネルを固定する際に、欄間パネルと左右縦枠および上枠との間で所定の位置関係を保持しながら、下方から上方に向けてボルトを締め付ける必要がある。このため、欄間パネルが落下しないように片手で押さえながらボルト固定作業を行わなければならない。不安定な状態での固定作業は作業者にとって危険であり、また、ボルトの締め具合も不十分になりがちになるため施工後に緩みが生じてしまう恐れがある。さらに、左右縦枠および上枠に凸形ブラケットを設け、その下端を内向きに折り曲げて雌ネジ穴を形成すると共にナットを付設したり、下方から取り付けたボルトを隠すために欄間パネルの下端溝を溝塞ぎ材で覆うなど、施工の際に使用される部材点数が多く、施工手間を要するものであった。
【０００５】
したがって、本発明が課題とするところは、このような従来技術の不利欠点を解消し、安全且つ容易に施工できる新規な欄間構造およびその施工方法を提供することである。
【課題を解決するための手段】
【０００６】
この課題を解決するため、請求項１に係る本発明は、開口部に設けられる左右縦枠および横枠と、これら左右縦枠および横枠に囲まれた空間に固定される欄間パネルとからなる欄間構造であって、欄間パネルの両側面木口にはそれぞれ高さ方向に連続する溝が形成されると共にその下端には一面から突出する突出部が設けられ、左右縦枠の各内面には一対の戸当たり溝が略全長に亘って延長形成されると共に、該一対の戸当たり溝の片側に欄間パネルの両側面木口の溝に嵌入する凸部が形成され、該内面の欄間パネルの下端に対応する高さ位置において戸当たり溝間に欄間固定片が内方に突出して取り付けられ、さらに該内面の欄間固定片から所定間隔をおいた下方位置において戸当たり溝間に支持部材が内方に突出して取り付けられ、横枠の下面には欄間パネルの上端が嵌入される凹部が形成されており、欄間固定片と支持部材との間に欄間パネルの突出部が挟み込まれた状態で欄間固定片を介して欄間パネルが固定されてなることを特徴とする。
【０００７】
請求項２に係る発明は、一面に一対の戸当たり溝が略全長に亘って延長形成されると共に、該一対の戸当たり溝の片側に凸部が形成され、且つ、その下方位置において該一対の戸当たり溝の間に欄間固定片が突出して取り付けられた縦枠部材と、一面に凹部を有する横枠部材と、両側面木口に少なくとも上端に開口する溝が形成されると共に下端には一面側に突出する突出部を有する欄間パネル部材とを準備し、開口部に一対の縦枠部材を前記一面側が内面側になるようにして固定して左右縦枠とすると共にこれら左右縦枠の上端間において横枠部材を凹部形成面が下面となるようにして開口部天面に固定して横枠として枠組を形成し、左右縦枠の間に欄間パネル部材を入れて、その両側面木口の溝に左右縦枠から内方に突出している凸部を嵌入させた状態にして上方にスライド移動させて、欄間パネル部材の上端が横枠下面の凹部に嵌入されると共にその突出部が左右縦枠から内方に突出している欄間固定片に当接した位置関係を形成し、この位置関係において支持部材を左右縦枠の内面の前記一対の戸当たり溝間に取り付けて欄間パネル部材を下方から支持して仮固定した後、欄間固定片を介して欄間パネル部材を左右縦枠に固定して欄間パネルとすることを特徴とする欄間構造の施工方法である。
【発明の効果】
【０００８】
請求項１に係る本発明によれば、比較的少ない部材点数で簡単な構成の欄間構造が提供されるので、施工も容易である。横枠に形成された凹部に欄間パネルの上端が嵌入されているので、施工現場にて開口部の寸法（特に高さ）や下方に設置する扉の高さなどに応じて欄間パネルの上端を切除する場合であっても、その上端の切り口が露出しないので見栄えが良好になると共に、横枠と欄間パネルとの間に隙間が生じないので明かり漏れを防ぐことができる。また、欄間パネル部材の突出部が欄間固定片と支持部材との間に挟持された状態で固定されるので、強度的に優れた欄間構造が得られる。
【０００９】
請求項２に係る本発明によれば、欄間パネルを取り付ける際に、欄間パネルの両側面木口の溝に左右縦枠から内方に突出する凸部を嵌入させた状態にして上方にスライド移動させながら高さ方向および厚さ方向の位置決めを容易に行うことができる。さらに、欄間パネルを所定の高さまで引き上げた状態で支持部材によって欄間パネルを下方から支持することができるので、作業者は欄間パネル部材から手を離しても落下することなく所定高さ位置に保持される。したがって、欄間固定片にビスなどの固定具を打ち込んで欄間パネル部材を固定する作業を安全且つ容易に行うことができる。
【図面の簡単な説明】
【００１０】
【図１】本発明の一実施形態による欄間構造を示す正面図である。
【図２】図１中Ｘ−Ｘ断面図である。
【図３】この欄間構造に用いられる欄間パネルの正面図（ａ）、平面図（ｂ）、左側面図（ｃ）、変形例の左側面図（ｄ）およびさらに別の変形例の左側面図（ｅ）である。
【図４】この欄間構造に用いられる縦枠について、凸部がダボで形成された実施形態（ａ）および凸部が棒状部材で形成された実施形態（ｂ）を示す各斜視図である。
【図５】この欄間構造に用いられる横枠について、一部材で形成された実施形態（ａ）および二部材で形成された実施形態（ｂ）を示す各側面図である。
【図６】この欄間構造の施工に際して欄間パネルを取り付ける手順を示す正面図である。
【図７】図６（ｂ）の状態を左縦枠内面を基準として見た側面図である。
【発明を実施するための形態】
【００１１】
本発明による欄間構造およびその施工方法について、以下添付図面を参照して具体的に説明する。
【００１２】
図１および図２は本発明の一実施形態による欄間構造１０を示し、開口部（符号なし）に設けられた左右縦枠１１，１２および横枠１３に囲まれた空間に欄間パネル１４が固定されている。この実施形態では、枠組空間において欄間パネル１４の下方には扉１５が取手１６による操作を介して開閉自在に設けられ、より具体的には図１に示す閉止状態と図１の正面から見て反対側に開く開放状態との間で開閉可能である。符号１７ａ，１７ｂは戸当たりであり、左右縦枠１１，１２の各内面に長さ方向に亘って延長形成される一対の戸当たり溝１９（図４参照）に取り付けられて、戸当たり１７ａは閉止状態にある扉１５の左右側面木口近くの一表面（図１正面）側部分に当接し、戸当たり１７ｂは後述する欄間パネル１４の左右側面木口近くの一表面（図１正面）側部分に当接する。また、図２中、符号３４は柱であり、符号３５は柱３４の両面に張設された壁面パネルである。扉１５は、欄間パネル１４の下面と床面との間でピボット支持され、あるいは一方縦枠（図示実施形態では左縦枠１１）に設けた蝶番などによって、開閉可能に設けられる。本発明は欄間構造に関連するものであるから、扉１５は本発明の主題に直接関連しないので、これ以上の詳細な説明は割愛する。なお、扉１５を設けずに、通行可能な単なる空間としても良い。
【００１３】
左右縦枠１１，１２は図４に示される縦枠部材１８から形成される。この縦枠部材１８は開口部の高さと略同一の長さ寸法を有すると共に開口部の厚さと略同一の幅寸法を有する長尺板状体であり、その一面（施工状態において内面側となる面）には略全長に亘って一対の戸当たり溝１９が連続的に延長形成されている。この戸当たり溝１９に、扉１５の高さ領域においては戸当たり１７ａの脚部が、欄間パネル１４の高さ領域においては戸当たり１７ｂの脚部が、それぞれ嵌め込まれて戸当たり１７ａ，１７ｂが取り付けられるものである。そして、縦枠部材１８の該側面の上端近くにおいて戸当たり溝１９の片側には凸部２０が形成される。凸部２０は、一または長さ方向に間隔を置いて設けられる任意個数のダボ状凸部（図４（ａ））であっても良いし、あるいは、所定の長さに亘って延長する棒状部材（図４（ｂ））であっても良い。いずれにしても、凸部２０は、施工された欄間構造１０において左右縦枠１１，１２の上端近くの内面から内方に向けて突出し、欄間パネル１４の左右側面木口に形成される溝３２（図３，図７参照）に上下スライド移動可能に嵌合する。
【００１４】
施工状態において内面側となる縦枠部材１８の側面には、さらに、凸部２０の下方にＬ字金具２１が固定される。Ｌ字金具２１は縦枠固定片２１ａと欄間固定片２１ｂとを有し、いずれの固定片２１ａ，２１ｂにも任意数の固定穴２１ｃ，２１ｄが形成されている。そして、縦枠固定片２１ａの固定穴２１ｃにビスなどの固定金具（図示せず）を通して縦枠部材１８の該側面に固定される。このようにしてＬ字金具２１が固定されることにより、欄間固定片２１ｂは施工状態において該側面（内面）から内方に向けて突出する（図２，図４，図６参照）。この際に、欄間固定片２１ｂが欄間パネル１４の下端から一面側に向けて突出する突出部２２の上面に当接する高さ位置となるように、Ｌ字金具２１が縦枠部材１８に対して所定位置に固定される。
【００１５】
縦枠固定片２１ａは一対の戸当たり溝１９の間で固定することが好ましく、このようにすると施工状態において欄間パネル１４の左右側面木口近くの一表面（図１正面）側に当接するように縦枠１１，１２に取り付けられる戸当たり２２の下端部によって縦枠固定片２１ａを隠蔽することができる。欄間固定片２１ｂについては欄間パネル１４と同色に着色したり、あるいは樹脂製のカバーを被せるなどによって目立たないようにしても良いし、欄間固定片２１ｂが当接する領域において欄間パネル１４の突出部２２の上面に、欄間固定片２１ｂの厚みと略同一の深さの座堀り部２３（図３（ｂ））を設けて該座掘り部２３に欄間固定片２１ｂを嵌合収容させることで目立たなくしても良い。
【００１６】
施工状態において内面側となる縦枠部材１８の側面には、さらに、上記のようにして固定されたＬ字金具２１の下方に所定間隔を置いた位置にダボ２４を挿入可能なダボ穴２５が形成される（図４（ａ））。ダボ穴２５も一対の戸当たり溝１９の間に形成することが好ましく、このようにすると施工後にダボ２４を引き抜いて除去したときであっても、扉１５の左右側面木口近くの一表面（図１正面）側に当接するように縦枠１１，１２に取り付けられる戸当たり１７ａの上端部によってダボ穴２５を隠蔽することができる。この実施形態ではダボ穴２５に挿入されるダボ２４が欄間パネル１４の施工時に下方より支持する「支持部材」を構成するが、同様の作用を果たすものであればダボ２４に限定されない。たとえば、縦枠部材１８の内面の所定高さ位置にバネ付勢された状態で設けられた埋没および突出可能なバネ式突起や、木ネジを半嵌入状態にして内方に突出させて設けたものなども「支持部材」として採用することができる。縦枠部材１８に固定されたＬ字金具２１の欄間固定片２１ｂと、ダボ穴２５に挿入されたダボ２４などの支持部材との間の高さ方向間隔は、用いられる欄間パネル１４の突出部２２の厚さ（高さ）と略同一であり、これらの間に突出部２２を挟持することができるようにされている。
【００１７】
縦枠部材１８の施工状態にて内面となる一側面には、上述の位置関係で凸部２０、Ｌ字金具２１および支持部材２４が設けられるように、あらかじめ目印となるマークを付けておくと良い。凸部２０および支持部材２４としてダボが用いられる場合は、ダボを挿入するダボ穴が目印マークとして働く。
【００１８】
なお、欄間パネル１４および扉１５が設けられる開口部の高さに応じて縦枠部材１８を切除して縦枠１１，１２として使用する場合は、上述の位置関係が損なわれないように注意する。たとえば、欄間パネル１４や扉１５の高さ寸法に応じて、Ｌ字金具２１の位置を基準として上下いずれか一方または両方を切除して長さを合わせると良い。
【００１９】
横枠１３は図５に示される横枠部材２６から形成される。この横枠部材２６は開口部の幅と略同一の長さ寸法を有し、その一面（施工状態において下面側となる面）に欄間パネル１４の上端部が嵌入される凹部２７が長さ方向に連続して形成されている。このような形状を有する横枠部材２６は、矩形状断面を有する単一の長尺板状体の一面側に凹部２７を切り欠き形成しても良い（図５（ａ））し、あるいは、矩形状断面を有する長尺板状体である枠部材２８と断面Ｌ字形の長尺薄板である幕板部材２９の２部材で形成し、その固定片２９ａの上面を開口部天面に固定すると共に幕板片２９ｂを欄間パネル１４の上端表面に被覆させるようにして、固定片２９ａと幕板片２９ｂとの間に凹部２７を形成するようにしても良い（図５（ｂ））。後者の構成によれば、単一部材において凹部２７を形成するための加工手間が省けると共に、欄間パネル１４が厚いときには幕板部材２９を枠部材２８との間に隙間をあけて固定することによって幅広の凹部２７を与えるようにし、欄間パネル１４が薄いときには幕板部材２９の固定片２９ａの先端側を切除して凹部２７を幅狭とすることができ、欄間パネル１４の厚さに応じて凹部２７の幅を容易に調整することができる利点がある。
【００２０】
欄間パネル１４は図３に示される欄間パネル部材３０から形成される。この欄間パネル部材３０は、開口幅（左右縦枠１１，１２間の間隔）と略同一の幅寸法および開口厚（左右縦枠１１，１２の厚さ）と略同一の厚さ寸法を有すると共に所定の高さ寸法を有するパネル３１の下端から一面側に突出する突出部２２が設けられてなる側面視略Ｌ字形に形成されている。パネル３１はフラッシュ構造を有するものであっても良いし、一枚の板材からなるものであっても良い。パネル３１はあらかじめ上記寸法を有するものとして工場生産されても良いが、施工現場にて開口部の寸法（特に高さ）や下方に設置する扉１５の高さなどに応じて上端を切除して用いるようにしても良い。既述したように、パネル３１の左右側面木口には、左右縦枠１１，１２の内面に設けられる凸部２０を上下スライド移動可能に嵌合収容する溝３１が設けられるが、上端を切除する場合は、切除後のパネル３１の左右側面木口にその上端から少なくとも所定の長さに亘って（下端まで連続しても良い）溝３２が形成されている必要がある。また、フラッシュ構造のパネル３１を用いて施工現場で上端を切除する場合は、上端領域に幅広のパネル芯材を用いてその範囲内で切除するようにする。これは、フラッシュ構造のパネル３１を芯材が存在しない領域で切除すると、切除後のパネル３１の上端において表裏の面材が固定されない状態となり、湿度によって波打ちが生じたり、場合によっては芯材から剥がれ落ちてしまう恐れがあるためである。
【００２１】
突出部２２は、パネル３１の下端全幅において下面が面一になるようにして一面側に突出するものであり、突出部３２がパネル３１の下端一面側から突出する突出長さは、縦枠１１，１２の内面に固定されたＬ字金具２１の欄間固定片２１ｂの幅寸法と同等またはそれより大きい寸法であり、既述したように、その上面の左右両端には欄間固定片２１ｂを嵌合収容するに十分な長さと深さを有する座掘り部２３が形成されている。
【００２２】
突出部２２の形成手法としては、たとえば、パネル３１の下端を一面側から切り欠いて、パネル３１の幅と略同一長さの矩形断面棒状部材３３ａを該切り欠き内に収めて固定した実施形態（図３（ｃ））のほか、パネル３１の下端にパネル３１の幅と略同一の長さ寸法を有すると共にパネル３１の厚さより大きい幅寸法を有する矩形断面棒状部材３３ｂをパネル３１の一面側にのみ突出させるようにして固定した実施形態（図３（ｄ））や、パネル３１の下端一面側にパネル３１の幅と略同一長さの矩形断面棒状部材３３ｃを固定した実施形態（図３（ｅ））などを採用することができる。これらの実施形態によれば、施工状態において欄間パネル１４の荷重をＬ字金具２１を介して棒状部材３３ａ〜３３ｃで受けることとなり、パネル３１自体の耐久性を高めることができる。また、施工状態において棒状部材３３ａ〜３３ｃが突出する側（図１正面側）からは該棒状部材が中鴨居のように目視される（図１参照）だけでなく、反対側においてパネル３１と棒状部材との接合面（線）が現れる場合には当該反対側からも中鴨居があるかのように目視されることになる。したがって、図３（ｄ）の実施形態によれば表裏いずれの側から見たときにも中鴨居が形成されているように目視され、一方、図３（ｃ）および図３（ｅ）の実施形態の場合は棒状部材突出側から見たときだけ中鴨居が形成されているように目視される。従来であれば、中鴨居付きの欄間を施工する場合、開口部に左右縦枠および横枠を枠組した後にその内部に中鴨居を取り付け、左右縦枠、横枠および中鴨居に囲まれた空間に欄間パネルを嵌め込むと言った煩雑な工程で欄間を施工していたが、図３に示される実施形態によれば、突出部２２を有する欄間パネル部材３０を、あらかじめ縦枠１１，１２に固定されたＬ字金具２１に固定するだけで少なくとも突出側においては突出部２２が中鴨居であるかのように目視され、且つ、突出部２２を形成するための棒状部材３３ａ〜３３ｃの取付に関する実施形態によって反対側からも中鴨居を目視させたりさせなかったりすることが可能であり、中鴨居付きの欄間を構成することが容易であると共に、表裏における意匠性に変化を持たせることができる
【００２３】
次に、この欄間構造１０の施工方法についてさらに図６を参照して説明する。開口部に、縦枠部材１８（図４）を戸当たり溝１９、凸部２０、Ｌ字金具２１およびダボ穴２５が内面を向くようにして取り付けて左右縦枠１１，１２とすると共に、これら縦枠１１，１２の上端間に横枠部材２６（図５）を凹部２７が下向きに開口するようにして開口部天面に取り付けて横枠１３として、枠組を構成する。そして、この枠組の内部に欄間パネル部材３０（図３）を入れて固定することにより欄間パネル１４を取り付ける。より詳しくは、まず、欄間パネル部材３０を、突出部２２を前方に向けた状態にして、且つ、その上端が凸部２０（図４（ａ）のように複数のダボからなる凸部２０とされている場合は最下方位置のダボ）に干渉しないよう該凸部２０より若干低い高さ位置となるようにして、枠組内に嵌め込む。そうすると、欄間パネル部材３０の側面（図１正面側の側面）がＬ字金具２１の欄間固定片２１ｂの側面に当接することで、縦枠１１，１２の幅（開口幅）における欄間パネル部材３０の位置が自動的に合い、縦枠１１，１２から内方に突出する凸部２０と欄間パネル部材３０の左右側面木口に形成された溝３２とが上下方向に整列する。この位置関係を保持したまま、欄間パネル部材３０を枠組内において上方に引き上げることにより、凸部２０が溝３２に挿入されるので、この嵌合状態のままで欄間パネル部材３０を上方にスライド移動させていく（図６（ａ））。
【００２４】
このようにして欄間パネル部材３０を上方にスライド移動させていくと、最終的に、その上端が横枠１３の下面の凹部２７に嵌合収容されると共に、突出部２２の上面に形成した座掘り部２３に、縦枠部材１１，１２の内面から突出するＬ字金具２１の欄間固定片２１ｂが嵌合収容された状態となる。このとき、縦枠１１，１２の内面において欄間固定片２１ｂの下方に形成されているダボ穴２４が欄間パネル部材３０の突出部２２の直下で露出することになるので、このダボ穴２４にダボ２５を嵌入することによって、欄間パネル部材３０を下方より支持して落下を防止することができ、作業者は欄間パネル部材３０から手を離して、Ｌ字金具２１の欄間固定片２１ｂに開口する取付穴２１ｄに固定具であるビス２１ｆを上方より打ち込んで欄間パネル部材３０を固定する。これによって欄間パネル１４が取り付けられる。
【００２５】
ダボ２５は、このようにして欄間パネル１４の取り付けを完了した後に取り外しても良いし、そのまま取り付けたままにしておいても良い。後者によれば、欄間パネル部材３０の突出部２２がＬ字金具２１の欄間固定片２１ｂとダボ２５との間に挟持された状態で固定されることになるので、強度的に優れた欄間構造１０が得られる利点がある。前者の場合には、ダボ２５を取り外した後にダボ穴２４が露出することになるので、これをシールなどの隠蔽部材によって隠蔽することが好ましい。ダボ２５に代えて木ネジが「支持手段」として用いられる場合も、同様に、木ネジを取り外した後に露出するネジ穴をシールなどの隠蔽部材によって隠蔽することが好ましい。バネ式突起が「支持手段」として用いられる場合は、突起を埋没させた状態にして同様にシールなどの隠蔽部材で隠蔽することが好ましい。あるいは、Ｌ字金具２１の下方において戸当たり溝１９に取り付けられる戸当たり１７ａの上端部によってこれらダボ穴、ネジ穴やバネ式突起などを隠蔽するようにしても良い。
【００２６】
次いで、縦枠１１，１２の内面に形成されている戸当たり溝１９に戸当たり１７ｂを取り付ける。この実施形態では断面略コ字状に形成された合成樹脂製などの戸当たり１７ａ，１７ｂの一対の脚部を一対の戸当たり溝１９にそれぞれ嵌入して固定するものとされており、縦枠１１，１２の上端からＬ字金具２１の欄間固定片２１ｂの上面近くに至る長さの戸当たり１７ｂをこのようにして取り付けることにより、Ｌ字金具２１の縦枠固定片２１ａを隠蔽することができる。
【００２７】
なお、凸部２０およびＬ字金具２１は、工場であらかじめ縦枠部材１８に取り付けておいても良いし、施工現場にて縦枠１１，１２として施工する前に縦枠部材１８に取り付けても良い。また、開口部に縦枠１１，１２および横枠１３を取り付けた後にすぐに欄間パネル１４を取り付けない場合、この状態で縦枠１１，１２の内面から凸部２０やＬ字金具２１の欄間固定片２１ｂが突出していると、これらに物がぶつかってその物や凸部２０、Ｌ字金具２１が破損してしまうことが考えられるので、縦枠１１，１２を取り付けた後、欄間パネル１４の施工直前に縦枠１１，１２に対して凸部２０やＬ字金具２１を取り付けても良い。
【００２８】
なお、既述したように扉１５は本発明の主題に直接関連しないので、その施工方法の説明は割愛する。
【符号の説明】
【００２９】
１０  欄間構造
１１，１２  縦枠
１３  横枠
１４  欄間パネル
１５  扉
１６  取手
１７  戸当たり
１８  縦枠部材
１９  戸当たり溝
２０  凸部
２１  Ｌ字金具
２１ａ  縦枠固定片
２１ｂ  欄間固定片
２１ｃ，２１ｄ  取付穴
２１ｅ，２１ｆ  ビス（固定具）
２２  突出部
２３  座掘り部
２４  ダボ（支持部材）
２５  ダボ穴
２６  横枠部材
２７  凹部
２８  枠部材
２９  幕板部材
２９ａ  固定片
２９ｂ  幕板片
３０  欄間パネル部材
３１  パネル
３２  溝
３３ａ〜３３ｃ  棒状部材
３４  柱
３５  壁面パネル
【図１】
0005725829.tif 000002
【図２】
0005725829.tif 000003
【図３】
0005725829.tif 000004
【図４】
0005725829.tif 000005
【図５】
0005725829.tif 000006
【図６】
0005725829.tif 000007
【図７】
0005725829.tif 000008